(57)【特許請求の範囲】
【請求項１】
加圧ポンプによって加圧された水を、水の流通路の内周面から中心に向かって複数の突起部が形成されたキャビテーション発生リングを含む流水パイプに供給し、
微細粒子が混合された気体を、前記キャビテーション発生リングよりも上流側の流水パイプ内に放出して該微細粒子を包含した気泡を生じさせてから、該気泡を前記キャビテーション発生リングで生じさせたキャビテーションの作用によって粉砕することで、前記微細粒子を分散状態で含有した処理水を得ることを特徴とする、微細粒子が分散された処理水を得るための水処理方法。
【請求項２】
前記気泡がキャビテーションによって粉砕された微細気泡を、キャビテーション発生リングよりも下流側に配置された磁気ミキサーの作用によって、該微細気泡のサイズが維持される状態にして安定化させること特徴とする、請求項１に記載の微細粒子が分散された処理水を得るための水処理方法。
【請求項３】
前記微細微粒子が、ステビア茎粉末であることを特徴とする、請求項１又は２に記載の微細粒子が分散された処理水を得るための水処理方法。
【請求項４】
加圧ポンプの下流側に、水の流通路の内周面から中心に向かって複数の突起部が形成されたキャビテーション発生リングを配置した流水パイプと、
微細粒子を気体に混合してから、該気体を、前記加圧ポンプよりも下流側かつ、前記キャビテーション発生リングよりも上流側の流水パイプ内に放出して該微細粒子を包含した気泡を生じさせる混合装置とを備えることを特徴とする、微細粒子が分散された処理水を得るための水処理装置。
【請求項５】
前記キャビテーション発生リングの下流側に、処理水を通過させる磁気ミキサーを更に配置していることを特徴とする、請求項４に記載の水処理装置。
【請求項６】
前記微細微粒子が、ステビア茎粉末であることを特徴とする、請求項４又は５に記載の微細粒子が分散された処理水を得るための水処理装置。
【発明の詳細な説明】
【技術分野】
【０００１】  本発明は、水処理方法、水処理装置、及びキャビテーション発生リングに関する。
【背景技術】
【０００２】  従来より、水の分子のクラスターを微細化する種々の方法が知られている。
例えば、下記特許文献１には、水路を流れる水に高圧水ジェットを注入してキャビテーションを生じさせ、水の分子のクラスターを微細化する水処理方法及び水処理装置が開示されている。
この水処理方法及び水処理装置は、キャビテーションによって生じた導電性を帯びた真空マイクロバブルに対して磁場を作用させ、フレミングの左手の法則に基づく力を発生させて、この力により真空マイクロバブル周辺の水分子のクラスターを微細化するものである。
【先行技術文献】
【特許文献】
【０００３】
【特許文献１】特開２００６−１８１４４９号公報
【発明の概要】
【発明が解決しようとする課題】
【０００４】  しかしながら、この水処理方法及び水処理装置では、水分子のクラスターを微細化するためには磁場発生装置の使用が必要となるため、方法が複雑で、装置が大掛かりなものとなり、更なる改善が望まれる。
本発明は上記実情に鑑みてなされたものであり、簡易な方法によって、水の分子のクラスターを微細化し得る、水処理方法、水処理装置、及びキャビテーション発生リングを提供することを目的とする。
【課題を解決するための手段】
【０００５】
上記目的を達成するために、本発明に係る水処理方法は、加圧ポンプによって加圧された水を、水の流通路の内周面から中心に向かって複数の突起部が形成されたキャビテーション発生リングを含む流水パイプに供給し、微細粒子が混合された気体を、前記キャビテーション発生リングよりも上流側の流水パイプ内に放出して該微細粒子を包含した気泡を生じさせてから、該気泡を前記キャビテーション発生リングで生じさせたキャビテーションの作用によって粉砕することで、前記微細粒子を分散状態で含有した処理水を得ることを特徴とする、微細粒子が分散された処理水を得ることを特徴とする。
【０００６】
また上記目的を達成するために、本発明に係る水処理装置は、加圧ポンプの下流側に、水の流通路の内周面から中心に向かって複数の突起部が形成されたキャビテーション発生リングを配置した流水パイプと、微細粒子を気体に混合してから、該気体を、前記加圧ポンプよりも下流側かつ、前記キャビテーション発生リングよりも上流側の流水パイプ内に放出して該微細粒子を包含した気泡を生じさせる混合装置とを備えることを特徴とする。
【０００７】
また本発明に係る高機能水は、ナノバブルと、ステビア茎の微細微粒子とが水中に分散されていることを特徴とする。
【発明の効果】
【００１１】  本発明に係る水処理方法、水処理装置、及びキャビテーション発生リングによれば、簡易な方法によって、水の分子のクラスターを微細化することができる。
【図面の簡単な説明】
【００１２】
【図１】（ａ）〜（ｃ）は、いずれも本発明の一実施形態に係る水処理方法の一例を示す工程図であり、（ａ）は、第１実施形態、（ｂ）は、第２実施形態、（ｃ）は、第３実施形態を示す。
【図２】本発明の一実施形態に係るキャビテーション発生リングの一例を模式的に示し、（ａ）は、概略平面図、（ｂ）は、（ａ）のＸ−Ｘ線矢視概略縦断面図である。
【図３】同キャビテーション発生リングの別例を模式的に示し、（ａ）は、概略平面図、（ｂ）は、（ａ）のＹ−Ｙ線矢視概略縦断面図である。
【図４】（ａ）は、キャビテーション処理前の気泡を模式的に示す概略図、（ｂ）は、キャビテーション処理後のナノバブルを模式的に示す概略図である。
【図５】（ａ）〜（ｃ）は、いずれも本発明の一実施形態に係る水処理装置の一例を模式的に示す概略図であり、（ａ）は、第１実施形態、（ｂ）は、第２実施形態、（ｃ）は、第３実施形態を示す。
【発明を実施するための形態】
【００１３】  本発明の第１実施形態に係る水処理方法１は、図１（ａ）に示すように、キャビテーションによって水２の分子のクラスターを微細化してナノ水３を生成する微細化工程Ａを備えている。
この微細化工程Ａは、図５（ａ）に示すように、複数のキャビテーション発生リング１０（以下、リング１０と略す）を有した微細化装置１００と、流水パイプ２０と、水２の加圧ポンプ２１とを備えた水処理装置３０によって実施される。
この微細化工程Ａでは、流水パイプ２０の一部に設置したリング１０（微細化装置１００）内に、水２を加圧ポンプ２１によって高圧で通過させることによって、リング１０内にキャビテーションが生じ、このキャビテーションの作用により、水２の分子のクラスターが微細化され、ナノ水３が製造される。
【００１４】  水２は、水分子が集合したものであるが、通常、水２の中では、多数の水分子が水素結合によって集団（いわゆる水分子のクラスター）を形成していると考えられており、例えば、水道水では、水分子が１５個〜２０個程度集合したクラスターが形成されていると考えられている。
また、一般的には、クラスターのサイズが小さい水は、浸透力が高いため、人間や動植物等に対して、生理学的、医学的等の観点において有益な種々の効果を奏するものと考えられている。
【００１５】  上記構成とされた水処理方法１及び水処理装置３０によって、水２がキャビテーションの作用を受けると、クラスターのサイズが小さくなり、平均して、水分子２個〜５個程度からなるクラスターを有する浸透力の高いナノ水３が生成される。なお、本明細書における「ナノ水３」とは、クラスターが微細化された水であるということを表現したものであり、概念的に「ナノ」という用語を用いて表現したものである。
このナノ水３は、皮膚や腸管、細胞表面等から効率よく吸収がなされるので、細胞が活性化されることが考えられ、ナノ水３の用途としては、飲料水のみならず、植物の水耕栽培、熱帯魚等の飼育、美容関連の化粧品等、様々なものが考えられる。
ナノ水３を、飲料水として用いれば、健康を増進することが考えられ、植物の水耕栽培や熱帯魚等の飼育に用いれば、植物や熱帯魚の生育を早めることが考えられ、化粧品等に用いれば、皮膚等からの効率的な浸透がなされることが考えられる。
【００１６】  当該水処理方法１及び水処理装置３０に使用されるリング１０は、図２（ａ）及び（ｂ）に示すように、円筒部１１の内部に水２の流通路１６を形成するようにして、円筒部１１の内周面から中心に向かって複数の突起部１２，１３を突出させた構造とされている。本実施形態では、リング１０は、略同寸同形状とされた複数の突起部１２（図例では４個）と、複数の突起部１３（図例では４個）を有し、突起部１３の突出寸法が突起部１２よりも大とされている。
【００１７】  上記構成とされたリング１０の円筒部１１内に、水２を加圧ポンプ２１によって高圧で通過させると、水２は、円筒部１１内の流通路１６を進む過程で、突起部１２，１３に衝突し、この衝突した部位の周囲の水の圧力が、瞬間的に低下した状態となる。
このように、水圧がごく短時間だけ飽和水蒸気圧より低くなると、水２の中に存在する１００μｍ以下の微小な気泡核を核として水２が沸騰したり、溶存気体の遊離が生じたりし、これにより小さな気泡（真空マイクロバブル）が多数生成される。
【００１８】  これら真空マイクバブルの周囲の水２の圧力は飽和水蒸気圧よりも高いので、周囲の水２が真空マイクロバブルの中心に向かって殺到し、真空マイクロバブルが消滅する瞬間に、殺到した水２が中心で衝突する。これにより、強い圧力波（衝撃波）が発生し、円筒部１１内にキャビテーションが生じる。
このキャビテーションによる強い衝撃波が、真空マイクロバブルの周囲を取り囲む水分子のクラスターに作用し、クラスターを構成する水分子の水素結合の一部が切断され、結果として、クラスターが分解（微細化）されて、小さいサイズのクラスターとなり、ナノ水３が生成される。
【００１９】  本実施形態では、図２（ａ）及び（ｂ）に示すように、リング１０の複数の突起部１２，１３は、それぞれキノコ状の形状とされており、これらの頭部１２ａ，１３ａのサイズを二種類以上の組み合わせとしている。図例では、頭部１２ａ，１３ａの形状を略円盤状とし、１２ａと１３ａの二種類の頭部を有したリング１０を例示している。
このように、二種類以上のサイズの頭部１２ａ，１３ａを組み合わせることによって、上記した衝撃波を効率的に発生させることができ、キャビテーションの作用を増幅させることができるので、より効率的に水２のクラスターを微細化させることができる。
なお、頭部１２ａ，１３ａのサイズは、互いの突起部１２，１３に干渉しない程度とすればよい。また、頭部１２ａ，１３ａのサイズは、図例のものに限定されず、三種類や四種類等の異なるサイズの頭部を用いるようにしてもよい。
【００２０】  また、本実施形態では、図５（ａ）に示すように、微細化装置１００は、互いに連結、分離が可能とされた複数個のリング１０が連結されて構成されている。これら複数のリング１０が、互いの筒内部が連通するように連結されて、微細化装置１００が構成されている。
このような構成により、微細化装置１００を構成するリング１０の連結個数を適宜増減させることで、キャビテーションの発生量を増減させることが可能となる。リング１０の連結個数を増やせば、キャビテーションの発生量が増加し、上記した衝撃波の発生領域が増えるので、クラスターの微細化の度合いを高めることができる、一方、リング１０の連結個数を減らせば、クラスターの微細化の度合いを低くすることができる。
つまり、このようにキャビテーションの発生量を調整することによって、水２のクラスターの微細化の度合いを調整することができるので、所望の浸透力とされたナノ水３を得ることができる。
【００２１】
なお、加圧ポンプ２１としては、水２を高圧で流水パイプ２０内を流通させることができるものであればよく、種々の構成とされたものを用いることができる。また、流水パイプ２０としては、高圧の水２の流通に耐え得る構成とされたものであればよく、例えば、鉄や銅等の金属製のものや、ポリ塩化ビニル等の合成樹脂からなるもの等を用いてもよい。
また、リング１０内を通過させる水２の圧力は、１〜１０ＭＰ程度とすればよく、水２の流速は、１５０ｍ／ｍｉｎ以上とすればよい。この水２の圧力や流速は、効果的なキャビテーションを発生させるために、適宜調整するようにしてもよく、例えば、水２の温度等に応じて調整するようにしてもよい。
【００２２】  また、リング１０の円筒部１１の内径は、例えば、１０〜５０ｍｍとしてもよく、円筒部１１の幅寸法（水２の流通方向に沿う寸法）は、例えば、５〜３０ｍｍとしてもよい。また、突起部１２，１３の突出寸法は、それぞれの突起部１２，１３が干渉しない寸法とすればよく、例えば、円筒部１１の内径の１／１０〜１／２程度の寸法としてもよい。
また、リング１０としては、酸化アルミニウムやジルコニア等の酸化物系等のセラミックからなるものとしてもよく、または、ステンレス鋼等の金属製のもの、合成樹脂からなるもの等としてもよい。なお、リング１０をセラミックから形成した場合には、セラミックから放射される遠赤外線の作用によって、リング１０内を通過する水２の分子同士の水素結合が弱められて、クラスターが微細化し易くなることが考えられる。
【００２３】  また、リング１０としては、図２（ａ）及び（ｂ）に示す形状の突起部１２，１３を有したものに限られず、図３（ａ）及び（ｂ）に示すような形状の突起部１４，１５を有したリング１０Ａとしてもよい。
図３（ａ）及び（ｂ）では、断面視して山形状の突起部１４と、円筒状の突起部１５とを備えたリング１０Ａを示している。
なお、突起部はこれらの形状に限定されることはなく、種々の形状のものとすることができる。
【００２４】  上記構成とされた第１実施形態に係る水処理方法１、水処理装置３０及びキャビテーション発生リング１０によれば、簡易な方法によって、水２の分子のクラスターを微細化することができる。
つまり、円筒部１１と突起部１２，１３を有する簡易な構造のキャビテーション発生リング１０を用いて、該リング１０内で生じたキャビテーションによってクラスターの微細化を行っているので、例えば、磁場発生装置等のような複雑で大掛かりな装置の使用が不要となり、簡易な方法によるクラスターの微細化が可能となる。
また、このように製造されたナノ水３は、クラスターが微細化されているので浸透力の高く、例えば、飲料水や、植物の水耕栽培、熱帯魚等の飼育、化粧水やクリーム等の美容関連の化粧品等、様々な目的に用いることができる。
【００２５】  また、本実施形態では、水処理装置３０は、互いに連結、分離が可能とされた複数個のリング１０を備えており、これらリング１０の連結個数を増減することで、キャビテーションの発生量を調整可能とされている。
従って、リング１０の連結個数を変更することで、水２の分子のクラスターの微細化度合いを調整することができるので、用途に応じて、所望の浸透力のナノ水３を製造することができる。
【００２６】  また、本実施形態では、リング１０の複数の突起部１２，１３は、それぞれキノコ状の形状とされており、これらの頭部１２ａ，１３ａのサイズを二種類以上の組み合わせとしている。
従って、サイズの異なる頭部１２ａ，１３ａを組み合わせることによって、キャビテーションの作用を増幅させることができるので、クラスターの小さい水２を効率的に製造することができる。
【００２７】  次に、第２実施形態に係る水処理方法１Ａについて説明する。
本実施形態に係る水処理方法１Ａは、図１（ｂ）に示すように、リング１０より上流の流水パイプ２０内に気体４を混入して、水２に多数の気泡５を含ませる気液混合工程Ｂをさらに備えている。
この水処理方法１Ａは、図５（ｂ）に示すように、気液混合装置２２を備えた水処理装置３０Ａによって実施される。
この気液混合工程Ｂでは、気泡５が混入された水２が、リング１０内を高圧で通過することによってキャビテーションが生じ、これにより水２の分子のクラスターが微細化されるとともに、気泡５がナノサイズに微細化され、ナノバブル（ナノサイズに微細化された気泡）６となる。
【００２８】  図４（ａ）には、ナノサイズに微細化される前の気泡５を示し、図４（ｂ）には、ナノバブル６を示している。気泡５のサイズは、２００〜２０００μｍ程度であり、ナノバブル６のサイズは、１００〜５００ｎｍ程度である。
【００２９】  リング１０内に生じたキャビテーションによって、水２の中に真空マイクロバブルが生成されるが、この真空マイクロバブルが、水２の中に生成された気泡５に衝突することによって、気泡５が瞬時にナノバブル６に破壊（微細化）される。
また、適宜リング１０の連結個数を増やしてキャビテーションの発生量を増やしたり、サイズの異なる頭部１２ａ，１３ａを組み合わせてキャビテーションの作用を増幅させたりすれば、上記した破壊の際に急激な断熱圧縮反応が起こり、ナノバブル６の中で超高圧、超高温の極限反応場が形成されるものと考えられている。これにより、ナノバブル６の周囲の水分子が分解し、ＯＨ等のフリーラジカルが生成されたり、気泡５の中の酸素の一部からオゾンが生成されたりするものと考えられている。
このように生成されたフリーラジカルやオゾンは強い酸化作用を持つので、処理後の水は、殺菌や消臭等の効果を有し、例えば、下水処理や、汚染水の分解等に用いることができる。
【００３０】  また、本実施形態では、図１（ｂ）に示すように、水処理方法１Ａは、ナノバブル６を含む水２を、磁気ミキサー２３内に通過させて、ナノバブル６をマイナスイオン化するマイナスイオン化工程Ｃをさらに備えている。
このマイナスイオン化工程Ｃでは、図５（ｂ）に示すように、ナノバブル６を含む水２が磁気ミキサー２３内に通過することで、ナノバブル６の表面にマイナスイオンが付与される。これにより、マイナスイオン同士が反発するので、ナノバブル６が互いにくっつき難くなり、複数のナノバブル６が融合してサイズが大きくなることが回避され、ナノバブル６のサイズをナノレベルに維持することができる。
なお、磁気ミキサー２３としては、ナノバブル６の表面にマイナスイオンを付与することのできるものであればよく、種々の構成とされたものを用いることができる。
【００３１】  上記構成とされた第２実施形態に係る水処理方法１Ａ（水処理装置３０Ａ）には、リング１０より上流の流水パイプ２０内に気体４を混入して、水２に多数の気泡５を含ませる気液混合工程Ｂ（気液混合装置２２）を備えている。
従って、気泡５を含んだ水２がリング１０内を高圧で通過することで生じたキャビテーションによって、水２の分子のクラスターが微細化されるだけでなく、気泡５がナノサイズに微細化されてナノバブル６が生成される。
これにより、ナノバブル６を水２の中に留めておくことができるので、用途に応じて、種々の気体（窒素、炭酸ガス、酸素、等）をナノバブル６として水中に含めることができる。
また、適宜リング１０の連結個数を増やしてキャビテーションの発生量を増やしたり、サイズの異なる頭部１２ａ，１３ａを組み合わせてキャビテーションの作用を増幅させたりすれば、リング１０内に生じたキャビテーションによって、ナノバブル６の周囲の水分子が分解し、ＯＨ等のフリーラジカルが生成されたり、気泡５の中の酸素の一部からオゾンが生成されたりする。このように生成されたフリーラジカルやオゾンは強い酸化作用を持つので、処理後のナノ水３は、殺菌や消臭等の効果を有し、例えば、下水処理用等に用いることができる。
【００３２】  また、本実施形態では、水処理方法１Ａは、リング１０内で生じたキャビテーションによって、ナノサイズに微細化されたナノバブル６を含む水２を、磁気ミキサー２３内に通過させて、ナノバブル６をマイナスイオン化するマイナスイオン化工程Ｃを、さらに備えている。
従って、ナノバブル６がマイナスイオン化されるので、ナノバブル６，６同士がくっつき難くなり、互いが融合してナノバブル６のサイズが大きくなることを抑制することができる。これにより、効率よく水２の中にナノバブル６を含ませることができる。
【００３３】
次に、第３実施形態に係る水処理方法１Ｂについて説明する。
この水処理方法１Ｂは、図１（ｃ）に示すように、気液混合工程Ｂにおいて水２に混入される前の気体４中に、ナノサイズの微細粒子７を混合分散させる微細粒子の混合工程Ｄをさらに備えている。
この水処理方法１Ｂは、図５（ｃ）に示すように、微細粒子の混合装置２４を備えた水処理装置３０Ｂによって実施される。また、当該方法１Ｂ（水処理装置３０Ｂ）は、上記第２実施形態と同様に、マイナスイオン化工程Ｃ（磁気ミキサー２３）を備えている。
この微細粒子の混合工程Ｄでは、微細粒子７が混合分散された気体４が、気液混合工程Ｂにおいて水２に混入されることで、微細粒子７を含んだ気泡５が生成される。
この微細粒子７を含んだ気泡５を有した水２が、リング１０内を高圧で通過することによってキャビテーションが生じ、これにより、水２の分子のクラスターが微細化する。
【００３４】  微細粒子７としては、例えば、ステビア茎の抽出エキスを乾燥して粉末状にしたものをナノサイズに微細化した粒子を用いることができる。当該粒子が内部に封じ込められたナノバブル６を含有したナノ水３は、植物の水耕栽培用の肥料として用いることができ、果実の糖度を上げたり、植物の生育を早めたり等の効果を奏することが考えられる。
ステビア茎の抽出エキスを乾燥して粉末状にする方法としては、例えば、以下の方法を用いるようにしてもよい。まず、ステビア茎を自然乾燥等によって乾燥させた後、粉砕してステビア茎粉末とし、このステビア茎粉末を水で煮沸して抽出液を得る。次いで、この抽出液を真空にて濃縮して、濃縮液を１次発酵させた後に熟成させて、ステビアエキスを得る。このステビアエキスを乾燥させて粉末状にし、さらにナノサイズに微細化する方法である。
【００３５】
なお、このステビアエキスは、植物の水耕栽培用等の肥料の他に、土壌中の有用微生物の成長促進活性剤や、鶏等の家畜や観賞用魚類等の飼育用の栄養補助飼料添加物としての使用も考えられる。また、健康食品や、化粧水や化粧クリーム等の各種化粧品の有効成分等としての使用も考えられ、幅広い用途が考えられる。また、このステビアエキスは、ナノ水３で適宜の濃度に希釈して用いるようにしてもよい。
また、微細粒子７としては、親水性のものや、疎水性のものを用いることができる。特に、疎水性の粒子を水２に溶解させる場合、微細化したとしても、水２の中に分散させ難いことが考えられるが、疎水性のものであっても水２の中に分散させることができる。
なお、微細粒子７をナノサイズに微細化する際には、種々の構成とされた粉砕機等を用いればよい。
【００３６】
上記構成とされた第３実施形態に係る水処理方法１Ｂ（水処理装置３０Ｂ）には、気液混合工程Ｂにおいて水２に混入される前の気体４中に、ナノサイズの微細粒子７を混合分散させる微細粒子の混合工程Ｄ（微細粒子の混合装置２４）を、さらに備えている。
また、処理後のナノ水３が含有する微細粒子７はナノサイズであるので、細胞表面等から当該微細粒子７の効率的な吸収がなされ、微細粒子７の効果を十二分に発揮させることができる。例えば、果実等の糖度を上げたり、植物等の生育を促進する効果を有する微細粒子７を用いた場合では、糖度の上昇や植物の生育促進という効果を比較的確実にもたらすことが考えられる。
【００３７】  次に、当該水処理方法１及び水処理装置３０によって製造したナノ水３の浸透力に関する実験結果を示す。
（フェルト生地の沈降実験）
目的：ナノ水３の浸透力を水道水と比較する。
方法：フェルト生地を裁断して複数の正方形状の切片を作成し、この切片を、コップに溜めたナノ水３の水面に浮かせ、浮かせた時点から、切片が沈降を開始する時点までの時間（浸透時間）を測定した。対象は、水道水とした。
結果：
【表１】
0006569037.tif 000002
３回とも、ナノ水３のほうが水道水よりも浸透時間が長い。
考察：以上より、ナノ水３のほうが、水道水よりも、より短時間でフェルト生地の内部に浸透するので、ナノ水３の浸透力は水道水よりも大きいことが示唆される。
【００３８】  次に、ナノ水３で希釈したステビアエキスの植物の生育促進効果に関する実験結果を示す。
（ステビアエキスの植物の生育促進効果に関する実験）
目的：ナノ水３で希釈したステビアエキスが植物の生育を促進させる効果を有するかどうかについて知る。
方法：
（試験区）ステビアエキスをナノ水３で２０００倍に希釈する。この希釈したステビアエキスを、水耕栽培によって生育途中にあるネギの葉面に、７日間隔で４回に亘り散布する。希釈したステビアエキスの散布量は、４ベッド（２３ｍ／ベッド）当たり２Ｌとする。
（対象区）ナノ水３で希釈したステビアエキスをネギに対して散布しない。
結果：
【表２】
0006569037.tif 000003
上記のように、試験区のほうが、対象区よりも、ネギの収穫量が多いことが認められた。さらに、試験区のほうが、対象区よりも、収穫されたネギの重量が大であり、ネギの生育速度がより大きいことが認められた。
考察：ナノ水３で希釈したステビアエキスは、植物の生育を促進させる効果を有することが示唆される。また、このステビアエキスの生育促進効果は、ナノ水３が高い浸透力を有することにより、ステビアエキスがネギの細胞表面から効率よく吸収されたことによるものと示唆される。
【００３９】  なお、上記各実施形態に係る水処理方法１，１Ａ，１Ｂ（水処理装置３０，３０Ａ，３０Ｂ）は、それぞれを単独で実施する態様に限られず、これらを組み合わせて実施するようにしてもよい。例えば、第１実施形態に係る水処理方法１（水処理装置３０）によって処理された水に対して、第２実施形態に係る水処理方法１Ａ（水処理装置３０Ａ）による処理を施したり、この処理水に対して、さらに第３実施形態に係る水処理方法１Ｂ（水処理装置３０Ｂ）による処理を施したりしてもよい。
これにより、処理水は複数回の微細化工程Ａを経ることになるので、キャビテーションの作用をより強く受けることになり、効率的にクラスターの微細化やナノバブル化がなされる。
【符号の説明】
【００４０】  １，１Ａ，１Ｂ      水処理方法
Ｂ      気液混合工程
Ｃ      マイナスイオン化工程
Ｄ      微細粒子の混合工程
２      水
４      気体
５      気泡
６      気泡（ナノバブル）
７      微細粒子
１０，１０Ａ      キャビテーション発生リング（リング）
１１      円筒部
１２，１３，１４，１５      突起部
１２ａ，１３ａ      頭部
１６      流通路
２０      流水パイプ
２１      加圧ポンプ
２２      気液混合装置
２３      磁気ミキサー
２４      微細粒子の混合装置
３０，３０Ａ，３０Ｂ      水処理装置
【図１】
0006569037.tif 000004
【図２】
0006569037.tif 000005
【図３】
0006569037.tif 000006
【図４】
0006569037.tif 000007
【図５】
0006569037.tif 000008